(57)【要約】【課題】風力発電機の発電状態を表示器に近づいて表示内容を目視しなければならいこと。【解決手段】電力検出計２は風力発電機１と出力線６１によって接続されており、音波発生器３と画像表示機４を備え、風力発電機１の発電状況を監視している。電力検出計２は風力発電機１の発電状況が一定条件を満たしたら音波発生器３と画像表示機４と接続線６２への出力を変化させる。音波発生器３は電力検出計２の入力信号に応じて発する可聴音の調整をする。画像表示機４も電力検出計２の入力信号に応じて表示する画像を変化させる。通信電波発生装置５に対しても同様に、電力検出計２は風力発電機１の発電状況が一定条件を満たしたら通信電波発生装置５と電力検出計２がつながれている接続線６２への出力を変化させる。【選択図】図１
2012241553.tif 000002
【特許請求の範囲】
【請求項１】
風車と前記風車に接続された発電機と前記発電機に接続された電力検出計からなる風力発電装置において、前記電力検出計からの信号をもとに可聴音を発する音波発生器を備えることを特徴とする風力発電装置。
【請求項２】
風車と前記風車に接続された発電機と前記発電機に接続された電力検出計からなる風力発電装置において、前記電力検出計に接続され、発電状況の変化に基づいた前記電力検出計からの信号を電波として発する通信電波発生装置と該通信電波発生装置から発せられた電波信号を受信する電波受信装置を備え、該電波受信装置に第2の音波発生器を備えることを特徴とする風力発電装置。
【発明の詳細な説明】
【技術分野】
【０００１】
本発明は、風力発電の発電状況を知らせる機器に関するものである。
【背景技術】
【０００２】
近年、太陽光や風力など自然エネルギー発電の必要性を受け、各地にモニュメントに近い扱いで小型風力発電機が設置されている。そこでは殆どの場合、その小型風力発電機の発電状況を表示する機器が備え付けられている。表示される項目は風力発電機の発電電力や、発電電力から換算した節約された二酸化炭素量などである。
【０００３】
しかし、発電状況を知るためには表示機器に近づいて表示内容を目視する必要がある（たとえば図４）。これは風力発電に興味をもつ人にしか風力発電のアピールが出来ておらず、周辺を訪れた人々に対する啓蒙の機会を逃している。
【０００４】
この改善策として風車の形状を特徴的な形状にしたり、ライトアップするなどの方法を取り風車に注目させる方法が存在しているが、そもそも風車が設置された方向を見ないといけないのでアピールの機会を逃し、実際にいくら発電しているのかは確認することはできない。また発電状況を伝えることに関しては従来どおり表示機器などが用いられている。
【先行技術文献】
【特許文献】
【０００５】
【特許文献１】特開２００５−０２４５２７号公報
【非特許文献】
【０００６】
【非特許文献１】「広告のＣＳＲ的社会貢献」、増田、第３０回風力エネルギー利用シンポジウム論文誌、日本風力エネルギー協会、２００８年、ｐ．１３７‐１４０
【発明の概要】
【発明が解決しようとする課題】
【０００７】
解決しようとする問題点は、モニュメントとして各地に設置されている風力発電機において、発電状況を知るために設置された表示機器など、風車に近づく必要があることである。
【課題を解決するための手段】
【０００８】
本発明においては、風車と前記風車に接続された発電機と前記発電機に接続された電力検出計からなる風力発電装置において、前記電力検出計からの信号をもとに可聴音を発する音波発生器を備えることを特徴とする風力発電装置。
【０００９】
また、風車と前記風車に接続された発電機と前記発電機に接続された電力検出計からなる風力発電装置において、前記電力検出計に接続され、発電状況の変化に基づいた前記電力検出計からの信号を電波として発する通信電波発生装置と該通信電波発生装置から発せられた電波信号を受信する電波受信装置を備え、該電波受信装置に第2の音波発生器を備えることを特徴とする風力発電装置。
【発明の効果】
【００１０】
本発明は、可聴音を発する音波発生器により、風力発電機の発電量上昇に比例して可聴音を鳴らす、またはその音量を変化させることや、外部機器で状態を閲覧可能にする電波を発し、外部機器の画像を変化させることや外部機器から音や画像を表示させる電波を変化させることで、風力発電機の発電状況を近づかなくても知ることができる利点がある。
【図面の簡単な説明】
【００１１】
【図１】本発明の風力発電状況中継装置を説明するための図である。（実施例1,2）
【図２】本発明の風力発電状況中継装置を説明するための図である。（実施例３）
【図３】本発明の風力発電状況中継装置を説明するための図である。（実施例４）
【図４】従来の風力発電状況中継装置を説明するための図である。
【発明を実施するための形態】
【実施例１】
【００１２】
図1は、本発明の実施例１の模式図である。この図を用いて説明する。１は風力発電機、２は電力検出計、３は電力検出計２と接続されている音波発生器、４は電力検出計２と接続されている画像表示機、５は通信電波発生装置、６１,６２はデータをやりとりする接続線であり、また７は第２の音波発生器と第２の画像表示機が付属した電波受信装置である。
【００１３】
電力検出計２は風力発電機１と接続線６１によって接続されており、風力発電機１の発電状況を検出している。
【００１４】
電力検出計２は風力発電機１の発電状況が一定条件を満たしたら音波発生器３から出力される可聴音を発生および変化させ、画像表示機４の表示も同様に変化させる。
【００１５】
通信電波発生装置５に対しては、電力検出計２は風力発電機１の発電状況が一定条件を満たしたら通信電波発生装置５と電力検出計２がつながれている接続線６２への出力を変化させる。通信電波発生装置５は接続線６２を経由して入力される電力検出計２からの入力信号に応じて電波受信装置７で出力される可聴音や画像を変化させるよう電波を変化させる。
【００１６】
風速が大きくなると、風力発電機１の発電電力が増加する。電力検出計２は風力発電機１が一定値以上の電力を発電したことを検出した場合、音波発生器３から出力される可聴音を停止、またはその可聴音を変化させる。
【実施例２】
【００１７】
実施例１と同様に構成されている風力発電システムにおいて、いま風車が風からのエネルギーを受け、加速される。この風エネルギーの増加に比例して風車の回転数が増加する。風車がある回転数に達すると風力発電機１が発電を開始する。この発電開始の発電電力を電力検出計２が検出した時、音波発生器３から可聴音を発生させる。同時に画像表示機４の表示も変化させる。
【００１８】
通信電波発生装置５に対しては、電力検出計２は風力発電機１の発電開始を検出した時、通信電波発生装置５と電力検出計２がつながれている接続線６２への出力を変化させる。通信電波発生装置５は接続線６２を経由して入力される電力検出計２からの入力信号に応じて電波受信装置７で出力される可聴音を発生させる。また画像表示機の画像を変化させるよう電波を変化させる。
【００１９】
さらに風車が風エネルギーを受け、加速されると風力発電機１の発電電力が増加する。発電電力が一定値以上であることを電力検出計２が検出した場合、音波発生器３から出力される可聴音を停止、またはその可聴音を変化させる。
【００２０】
同様に、通信電波発生装置５に対して、電力検出計２は風力発電機１の発電電力が一定値以上であることを検出した時、通信電波発生装置５と電力検出計２がつながれている接続線６２への出力を変化させる。通信電波発生装置５は接続線６２を経由して入力される電力検出計２からの入力信号に応じて電波受信装置７で出力される可聴音を停止または変化させる。同時に、画像表示機の画像を停止、または変化させるよう電波を変化させる。
【実施例３】
【００２１】
図２は、本発明の実施例２の模式図である。この図を用いて説明する。１は風力発電機、２は電力検出計、３は電力検出計２と接続されている音波発生器、６１はデータをやりとりする接続線である。
【００２２】
電力検出計２は風力発電機１と接続線６１によって接続されており、風力発電機１の発電状況を検出している。
【００２３】
電力検出計２は風力発電機１の発電状況が一定条件を満たしたら音波発生器３から出力される可聴音を発生および変化させる。
【実施例４】
【００２４】
図３は、本発明の実施例３の模式図である。この図を用いて説明する。１は風力発電機、２は電力検出計、５は通信電波発生装置、６１と６２はデータをやりとりする接続線であり、また７は第２の音波発生器と第２の画像表示機が付属した電波受信装置である。
【００２５】
電力検出計２は風力発電機１と接続線６１によって接続されており、風力発電機１の発電状況を検出している。
【００２６】
電力検出計２は風力発電機１の発電状況が一定条件を満たしたら通信電波発生装置５と電力検出計２がつながれている接続線６２への出力を変化させる。通信電波発生装置５は接続線６２を経由して入力される電力検出計２からの入力信号に応じて電波受信装置７で出力される可聴音や画像を変化させるよう電波を変化させる。
【産業上の利用可能性】
【００２７】
出力される音を変更することにより、風車に近づき、表示機器で確認する前に、音もしくは画像で風車の発電状況の推定、故障状態の判別ができる。さらに簡便な装置により啓蒙・アピールの機会を大きくできる。また、外部機器で状態を閲覧可能にする電波を発することで、風力発電機の発電状況の詳細を視認できる。
【符号の説明】
【００２８】
１        風力発電機
２        電力検出計
３        音波発生器
４        画像表示機
５        通信電波発生装置
６1,６２  接続線
７        電波受信装置
【図１】
2012241553.tif 000003
【図２】
2012241553.tif 000004
【図３】
2012241553.tif 000005
【図４】
2012241553.tif 000006